(57)【特許請求の範囲】
【請求項１】
商品窓を有し，かつ内がわ面に上記商品窓を覆うフィルムが貼られており，互いに重ね合わされかつ保持されることにより，表がわおよび裏がわのフィルムの間に入れられる商品を表がわおよび裏がわの商品窓を通してそれぞれ反対方向に突出させた状態で上記フィルムで挟んで固定する表枠体と裏枠体を備える包装体を用いた商品の包装方法であって，
上記表枠体および裏枠体の少なくともいずれか一方が，その少なくとも一側につながる折り片を有しており，
上記折り片を持つ枠体については，上記フィルムの一部を上記枠体と上記折り片の間の折り線と間隔をあけて上記折り片に接着し，かつフィルムの他の一部を上記枠体の他側がわの枠部または上記枠体の他側がわにつながる折り片に接着することで上記枠体の内がわ面に上記フィルムを平行に貼り，
上記フィルムが接着されている折り片を上記折り線の位置で内がわに折り，上記折り片の折られた状態を，重ね合わされる他方の枠体によって維持し，
上記折り片を折ることで上記フィルムに生じる余裕または上記フィルムに生じる余裕と上記フィルム自体の伸びとによって，張りを持つ上記フィルムにより覆った商品を上記商品窓を通して外方に突出させる，
方法。
【請求項２】
商品窓を有し，かつ内がわ面に上記商品窓を覆うフィルムが貼られており，互いに重ね合わされかつ保持されることにより，表がわおよび裏がわのフィルムの間に入れられる商品を，表がわおよび裏がわの商品窓を通してそれぞれ反対方向に突出させた状態で上記フィルムで挟んで固定する表枠体と裏枠体を備える包装体であって，
上記表枠体および裏枠体の少なくともいずれか一方が，その少なくとも一側につながる折り片を有しており，
上記折り片を持つ枠体については，上記フィルムの一部が上記枠体と上記折り片の間の折り線と間隔をあけて上記折り片に接着され，かつフィルムの他の一部が上記枠体の他側がわの枠部または上記枠体の他側がわにつながる折り片に接着されることで，上記枠体の内がわ面に上記フィルムが平行に貼られている，
包装体。
【請求項３】
商品窓を有しかつ少なくとも一側に折り片がつながっている表枠体，
上記表枠体の内がわに上記表枠体と重ね合わされて保持される，商品窓を有しかつ少なくとも一側に折り片がつながっている裏枠体，ならびに
上記表枠体の商品窓および上記裏枠体の商品窓を覆うようにして上記表枠体および上記裏枠体の内がわ面と平行に貼られるフィルムであって，一端部が表枠体と表枠体につながる折り片の間の折り線と間隔をあけ，かつ裏枠体と裏枠体につながる折り片の間の折り線と間隔をあけて，上記表枠体につながる折り片および裏枠体につながる折り片にそれぞれ接着され，他端部が上記表枠体の他側がわの枠部または他側がわにつながる折り片および上記裏枠体の他側がわの枠部または他側がわにつながる折り片にそれぞれ接着されるフィルムを備えている，
包装体。
【請求項４】
上記表枠体に貼られるフィルムと，上記裏枠体に貼られるフィルムが分離している，
請求項３に記載の包装体。
【請求項５】
上記表枠体と上記裏枠体が，上記折り片が連接する方向とは垂直な方向に折り線を介してつながっており，
一枚のフィルムが上記表枠体および上記裏枠体に貼られており，
上記表枠体または裏枠体がこれらの間の折り線の位置で内がわに折返されて重ね合わされる，
請求項３に記載の包装体。
【請求項６】
商品窓を有しかつ一側に第１の折り線を介して折り片がつながっている表枠体，
上記表枠体と重ね合わされて保持される，商品窓を有しかつ上記表枠体の他側に第２の折り線を介してつながっている裏枠体，ならびに
上記表枠体の商品窓および上記裏枠体の商品窓を覆うようにして上記表枠体および上記裏枠体の内がわ面と平行に貼られるフィルムであって，一端部が上記表枠体と上記折り片との間の折り線と間隔をあけて上記折り片に接着されており，他端部が上記裏枠体の他側がわの枠部に接着されており，かつこれらの両端の接着位置の間の一部分が上記表枠体と上記裏枠体との間の折り線と間隔をあけて上記表枠体の他側がわの枠部に接着されているフィルムを備えている，
包装体。
【請求項７】
折り線を介してつながっており，それぞれが商品窓を持つ表枠体および裏枠体，ならびに
上記表枠体の商品窓および上記裏枠体の商品窓を覆うようにして上記表枠体および上記裏枠体の内がわ面と平行に貼られるフィルムであって，一端部が上記表枠体の自由端がわの枠部に接着され，他端部が上記裏枠体の自由端がわの枠部に接着され，かつこれらの両端の接着位置の間の一部分が，上記表枠体と上記裏枠体の間の折り線と間隔をあけて，上記表枠体および裏枠体にそれぞれに接着されているフィルムを備えている，
包装体。
【請求項８】
上記表枠体，裏枠体および折り片が一枚の厚紙によってつくられている，請求項２から６のいずれか一項に記載の包装体。
【請求項９】
上記表枠体および裏枠体が一枚の厚紙によってつくられている，請求項５から７のいずれか一項に記載の包装体。
【発明の詳細な説明】
【技術分野】
【０００１】
この発明は，商品を包装する方法および商品を包装するための包装体に関する。
【背景技術】
【０００２】
スーパーマーケット，薬局，コンビニエンスストア，その他の店舗で販売されるリップクリーム，化粧水，スプレー等の比較的小型の商品は台紙および透明プラスチックを用いて包装された形態で流通，販売されることが多い。包装された商品が店舗内において展示ないし陳列され，消費者の手に取られる。
【０００３】
商品の形状および大きさに応じた凹部を持つ透明プラスチック製のブリスター内に商品を入れ，台紙によってブリスターの背面がわの開口を閉じたブリスターパックが知られている。透明なブリスターを通して包装商品がよく見えるので展示効果は高いが，ブリスターを成形する金型の製作が必要であり製造コストは高い。
【０００４】
特許文献１には，透明軟質ウレタンフィルムによって商品を包装するものが提案されている。
【先行技術文献】
【特許文献】
【０００５】
【特許文献１】実用新案登録第３１５２８３４号公報
【０００６】
この包装体は，中央部に抜き穴が形成され，この抜き穴が透明軟質ウレタンフィルムにより覆われている２つの台紙シートの間の上記フィルムの位置に商品を封入している。商品は台紙シートの抜き穴から軟質ウレタンフィルムによって覆われて両がわに突出する。透明軟質ウレタンフィルムは商品によって押されることで伸びを生じる。透明軟質ウレタンフィルムの伸びの限界を超える厚さを持つ商品を包装するのは困難である。
【発明の開示】
【０００７】
この発明は比較的厚い商品も包装できるようにすることを目的とする。
【０００８】
この発明による商品の包装方法は，商品窓を有し，かつ内がわ面に上記商品窓を覆うフィルムが貼られており，互いに重ね合わされかつ保持されることにより，表がわおよび裏がわのフィルムの間に入れられる商品を表がわおよび裏がわの商品窓を通してそれぞれ反対方向に突出させた状態で上記フィルムで挟んで固定する表枠体と裏枠体を備える包装体を用いた商品の包装方法であって，上記表枠体および裏枠体の少なくともいずれか一方が，その少なくとも一側につながる折り片を有しており，上記折り片を持つ枠体（表枠体および裏枠体の少なくともいずれか一方）については，上記フィルムの一部を上記枠体と上記折り片の間の折り線と間隔をあけて上記折り片に接着し，かつフィルムの他の一部を上記枠体の他側がわの枠部または上記枠体の他側がわにつながる折り片に接着することで上記枠体の内がわ面に上記フィルムを平行に貼り，上記フィルムが接着されている折り片を上記折り線の位置で内がわに折り，上記折り片の折られた状態を，重ね合わされる他方の枠体によって維持し，上記折り片を折ることで上記フィルムに生じる余裕または上記フィルムに生じる余裕と上記フィルム自体の伸びとによって，張りを持つ上記フィルムにより覆った商品を上記商品窓を通して外方に突出させる。
【０００９】
この発明による包装体は，商品窓を有し，かつ内がわ面に上記商品窓を覆うフィルムが貼られており，互いに重ね合わされかつ保持されることにより，表がわおよび裏がわのフィルムの間に入れられる商品を，表がわおよび裏がわの商品窓を通してそれぞれ反対方向に突出させた状態で上記フィルムで挟んで固定する表枠体と裏枠体を備える包装体であって，上記表枠体および裏枠体の少なくともいずれか一方が，その少なくとも一側につながる折り片を有しており，上記折り片を持つ枠体については，上記フィルムの一部が上記枠体と上記折り片の間の折り線と間隔をあけて上記折り片に接着され，かつフィルムの他の一部が上記枠体の他側がわの枠部または上記枠体の他側がわにつながる折り片に接着されることで，上記枠体の内がわ面に上記フィルムが平行に貼られており，上記フィルムが接着されている折り片が上記折り線の位置で内がわに折られることで上記フィルムに生じる余裕または上記フィルムに生じる余裕と上記フィルム自体の伸びとによって，張りを持つ上記フィルムにより覆われた商品が上記商品窓を通して外方に突出させられ，かつ上記折り片の折られた状態が，重ね合わされる他方の枠体によって維持される。
【００１０】
フィルムの一部が，折り片を持つ枠体（表枠体，裏枠体，または表枠体および裏枠体の両方のいずれか）と上記折り片との間の折り線と間隔をあけて上記折り片に接着されているので，上記折り片が折り線の位置で内がわに折られると，フィルムの接着位置が枠体の商品窓に近づき，フィルムに余裕が生じる。この上記フィルムに生じる余裕によって商品窓から突出する商品を覆うことができる。比較的厚みを有する商品であっても包装することができる。上記フィルムが伸びを生じるものであれば，上記フィルムに生じる余裕とフィルム自体に生じる伸びの両方によって商品窓から突出する商品を覆うことができる。
【００１１】
上記フィルムの接着には典型的には接着剤が用いられるが，接着のための固定具（テープ，ステープラーなど）を用いてもよい。上記フィルムが接着されるべき折り片上の箇所に熱可塑性樹脂等をあらかじめ設けておき，溶着（熱溶着，超音波溶着など）により上記フィルムを接着してもよい。
【００１２】
折り片は，表枠体および裏枠体の両方においてそれらの両側のそれぞれに互いに反対方向につながって設けられてもよい。表枠体および裏枠体の両方においてそれらの一側のみにつながって設けられてもよい。表枠体および裏枠体の一方のみに，その両側のそれぞれに反対方向につながるものであってもよい。さらに，表枠体および裏枠体の一方のみであってさらにその一側のみにつながって設けられてもよい。たとえば，表枠体および裏枠体のうち表枠体のみに上記フィルムが上記間隔をあけて接着された折り片が設けられている場合には，表枠体の商品窓からの商品の突出の程度が，裏枠体の商品窓からの商品の突出の程度に比べて大きくなる。
【００１３】
表枠体と裏枠体とは接着剤，テープ等を用いて，または差込み片を用いた係合等によって互いに重ね合わされて保持（固定）される。商品は表枠体に貼られたフィルムと裏枠体に貼られたフィルムとによって表裏から挟まれることで固定される。表枠体と裏枠体とを互いに重ね合わせて保持することにより折り片の折られた状態が維持される。
【００１４】
上記フィルムには，たとえばプラスチック材料が用いられる。上述のように，フィルムに生じる余裕またはフィルムに生じる余裕とフィルムの伸びとによって表枠体の商品窓および裏枠体の商品窓から外方に突出する商品が覆われる。すなわち，フィルムは伸びを生じないものであってもよく，伸びを生じるものであってもよい。伸びを生じるフィルムを用いると，フィルムの一部と上記折り線との間の間隔の調整を行いやすいという利点がある。また，伸びを生じるフィルムは商品にフィット（密着）しやすいので，商品が安定して固定されやすく，かつ外観的にも良好なものとなる。もちろんフィルムは弾性を兼ね備えたもの（すなわち縮む性質を持つもの）であってもよく，この場合包装された商品はフィルムによって圧迫された状態で固定される。さらに上記フィルムには透明または半透明のものを用いるとよい。透明または半透明のフィルムを用いることによって商品に印刷された商品名等をフィルムを通して表がわおよび裏がわの両面から確認することできる。いずれにしてもフィルムによって覆われた商品の少なくとも一部が枠体の商品窓から表がわおよび裏がわに突出するから，商品の外形を表裏の両面がわから確認することができる。商品窓は，包装される商品の外形および大きさに応じた形状および大きさとすればよい。
【００１５】
この発明による包装体には，さまざまな形態が考えられる。この発明による一実施態様による包装体は，商品窓を有しかつ少なくとも一側に折り片がつながっている表枠体，上記表枠体の内がわに上記表枠体と重ね合わされて保持される，商品窓を有しかつ少なくとも一側に折り片がつながっている裏枠体，ならびに上記表枠体の商品窓および上記裏枠体の商品窓を覆うようにして上記表枠体および上記裏枠体の内がわ面と平行に貼られるフィルムであって，一端部が表枠体と表枠体につながる折り片の間の折り線と間隔をあけ，かつ裏枠体と裏枠体につながる折り片の間の折り線と間隔をあけて，上記表枠体につながる折り片および裏枠体につながる折り片にそれぞれ接着され，他端部が上記表枠体の他側がわの枠部または他側がわにつながる折り片および上記裏枠体の他側がわの枠部または他側がわにつながる折り片にそれぞれ接着されるフィルムを備え，表枠体に貼られたフィルムと裏枠体に貼られたフィルムの間に入れられ，表裏からフィルムにより挟まれて固定される商品が，上記フィルムが接着されている折り片を上記折り線の位置で内がわに折ることで上記フィルムに生じる余裕または上記フィルムに生じる余裕と上記フィルム自体の伸びとによって，張りを持つ上記フィルムによって覆われた状態で上記表枠体の商品窓および裏枠体の商品窓を通してそれぞれ反対方向に突出させられ，かつ上記折り片の折られた状態が，重ね合わされる他方の枠体によって維持される。
【００１６】
上記表枠体に貼られるフィルムと，上記裏枠体に貼られるフィルムは分離していてもよい。すなわち，２枚のフィルムが用いられる。また，上記表枠体と上記裏枠体が，上記折り片が連接する方向とは垂直な方向に折り線を介してつながっており，一枚のフィルムが上記表枠体および上記裏枠体に貼られており，上記表枠体または裏枠体がこれらの間の折り線の位置で内がわに折返されて重ね合わされるものであってもよい。
【００１７】
この発明による他の実施態様による包装体は，商品窓を有しかつ一側に第１の折り線を介して折り片がつながっている表枠体，上記表枠体と重ね合わされて保持される，商品窓を有しかつ上記表枠体の他側に第２の折り線を介してつながっている裏枠体，上記表枠体の商品窓および上記裏枠体の商品窓を覆うようにして上記表枠体および上記裏枠体の内がわ面と平行に貼られるフィルムであって，一端部が上記表枠体と上記折り片との間の折り線と間隔をあけて上記折り片に接着されており，他端部が上記裏枠体の他側がわの枠部に接着されており，かつこれらの両端の接着位置の間の一部分が上記表枠体と上記裏枠体との間の折り線と間隔をあけて上記表枠体の他側がわの枠部に接着されているフィルムを備え，表枠体に貼られたフィルムと裏枠体に貼られたフィルムの間に挟まれて固定される商品が，表枠体がわにおいては上記フィルムの一端部が接着されている折り片を上記第１の折り線の位置で内がわに折ることで上記フィルムに生じる余裕または上記フィルムに生じる余裕と上記フィルム自体の伸びとによって，裏枠体がわにおいては上記表枠体または裏枠体が第２の折り線の位置で内がわに折られることで上記フィルムに生じる余裕または上記フィルムに生じる余裕と上記フィルム自体の伸びとによって，張りを持つ上記フィルムによって覆われた状態で上記表枠体の商品窓および上記裏枠体の商品窓を通してそれぞれ反対方向に突出させられ，かつ上記折り片および上記表枠体または裏枠体の折られた状態が，上記表枠体と裏枠体とを互いに重ね合わせかつ保持することによって維持される。
【００１８】
この発明によるさらに他の実施態様における包装体は，折り線を介してつながっており，それぞれが商品窓を持つ表枠体および裏枠体，上記表枠体の商品窓および上記裏枠体の商品窓を覆うようにして上記表枠体および上記裏枠体の内がわ面と平行に貼られるフィルムであって，一端部が上記表枠体の自由端がわの枠部に接着され，他端部が上記裏枠体の自由端がわの枠部に接着され，かつこれらの両端の接着位置の間の一部分が，上記表枠体と上記裏枠体の間の折り線と間隔をあけて，上記表枠体および裏枠体にそれぞれに接着されているフィルムを備え，上記表枠体または裏枠体が内がわに折られることで表枠体に貼られたフィルムと裏枠体に貼られたフィルムの間に挟まれて固定される商品が，表枠体がわおよび裏枠体がわの両方において，上記表枠体または裏枠体を上記折り線の位置で内がわに折ることで上記フィルムに生じる余裕または上記フィルムに生じる余裕と上記フィルム自体の伸びとによって，張りを持つ上記フィルムによって覆われた状態で上記表枠体の商品窓および裏枠体の商品窓を通してそれぞれ反対方向に突出させられ，かつ上記表枠体または裏枠体の折られた状態が上記表枠体と裏枠体とを互いに重ね合わせて保持することによって維持される。
【００１９】
好ましくは，上記表枠体および裏枠体，さらには折り片が一枚の厚紙によってつくられている。厚紙とは，植物性繊維を材料とするもののみならず，合成繊維を材料の一部または全部とするもの，表面または両面に合成樹脂膜をコーティングしたもの等，合成樹脂による厚紙のシート等を含む。
【００２０】
上記フィルムは上記表枠体および裏枠体の内がわ面に平行に貼られるので，自動窓貼り機による接着に適している。
【図面の簡単な説明】
【００２１】
【図１】第１実施例の包装体の分解斜視図である。
【図２】第１実施例の包装体の正面図である。
【図３】図２のIII−III線に沿う断面図である。
【図４】図２のIV−IV線に沿う断面図である。
【図５】フィルムが接着された展開状態の表枠体および折り片を内側から見たものである。
【図６】図５のVI−VI線に沿う断面図である。
【図７】折り片が折り返された状態を示す断面図である。
【図８】第２実施例の包装体の展開図である。
【図９】第２実施例の包装体の組み立ての様子を示す斜視図である。
【図１０】第３実施例の包装体の展開図である。
【図１１】第３実施例の包装体の組み立ての様子を示す斜視図である。
【図１２】第４実施例の包装体の展開図である。
【図１３】第４実施例の包装体の組み立ての様子を示す斜視図である。
【図１４】第５実施例の包装体の展開図である。
【図１５】第５実施例の包装体の組み立ての様子を示す斜視図である。
【実施例】
【００２２】
図１は第１実施例のディスプレイ用の包装体１の分解斜視図を，包装される商品40を含めて示すものである。図２は商品40を包装した包装体１の正面図である。図３は図２のIII−III線に沿う断面図であり，図４は図２のIV−IV線に沿う断面図である。図１において，後述する折り片12Ａ，13Ａ，12Ｂ，13Ｂが展開状態（折られていない状態）で示されている。包装体１の背面図は図２に示す正面図と同一に現れる。図２のかっこ内の符号は背面（裏面）がわの包装体１の構成部材を示す。
【００２３】
包装体１は，商品40をその表裏（正面がわおよび背面がわ）の両面からフィルム31Ａ，31Ｂにより挟んで固定（保持）するものであり，商品40の表（正面）がわには矩形の表枠体11Ａと，この表枠体11Ａの内がわ面に貼られる矩形のフィルム31Ａとが位置し，商品40の裏（背面）がわには矩形の裏枠体11Ｂとその内がわ面に貼られる矩形のフィルム31Ｂが位置する。表枠体11Ａの両側に互いに反対方向にのびる折り片12Ａ，13Ａがそれぞれつながっている。裏枠体11Ｂも同様に，その両側に互いに反対方向にのびる折り片12Ｂ，13Ｂがそれぞれつながっている。
【００２４】
表枠体11Ａ，裏枠体11Ｂ，これらにつながる折り片12Ａ，13Ａ，12Ｂ，13Ｂは典型的には厚紙によりつくられる。ボール紙，プラスチック・シート，これらの複合材を用いてもよい。フィルム31Ａ，31Ｂは透明または半透明の薄いプラスチック製のフィルムである。伸びを生じる塑性を有するフィルムを使用するのが好ましいが伸びを生じないフィルムを用いてもよい。また，弾性を有するフィルムを使用してもよい。フィルム31Ａ，31Ｂの素材にはポリ塩化ビニル，ポリプロピレン，ポリスチレン，ポリオレフィン，ポリエチレンテレフタレートなどを用いることができる。
【００２５】
表枠体11Ａのほぼ中央に矩形の商品窓21Ａがあけられている。商品窓21Ａの上方の枠部には円形のフック孔22Ａがあけられている。商品窓21Ａは包装体１によって包装される商品40の表がわの形状に応じた好ましくは合致した形状を持ち，その大きさも商品40の大きさに応じたもの，好ましくは合致したものまたはやや大きいものとされる。裏枠体11Ｂにもそのほぼ中央に商品40の裏がわの形状および大きさに応じた矩形の商品窓21Ｂがあけられており，その上方の枠部にフック孔22Ｂがあけられている。商品窓21Ａ，21Ｂは商品40がその表がわおよび裏がわからそれぞれ通る形状および大きさを持つ。
【００２６】
表枠体11Ａと，その両側につながる折り片12Ａ，13Ａとの間の折り線をＬ１Ａ，Ｌ２Ａでそれぞれ示す。裏枠体11Ｂと，その両側につながる折り片12Ｂ，13Ｂとの間の折り線をＬ１Ｂ，Ｌ２Ｂでそれぞれ示す。詳細は後述するが，フィルム31Ａは表枠体11Ａおよび折り片12Ａ，13Ａに設けられる糊部Ｎによって表枠体11Ａの内がわとなる面に接着され，その後に折り片12Ａ，13Ａは折り線Ｌ１Ａ，Ｌ２Ａの位置で表枠体11Ａの内がわに折返される（図１において山折り）。フィルム31Ｂについても同様であり，裏枠体11Ｂおよび折り片12Ｂ，13Ｂに設けられる糊部Ｎによって裏枠体11Ｂの内がわとなる面に接着され，その後に折り片12Ｂ，13Ｂは折り線Ｌ１Ｂ，Ｌ２Ｂの位置で裏枠体11Ｂの内がわに折り返される（図１において谷折り）。
【００２７】
商品40を商品窓21Ａ，21Ｂに対応する位置に位置決めし，２枚のフィルム31Ａ，31Ｂによって表裏（前後）から挟む。表枠体11Ａにおいて折返された折り片12Ａ，13Ａと，裏枠体11Ｂにおいて折り返された折り片12Ｂ，13Ｂとを糊部ｎによって接着する（図３参照）。これにより表枠体11Ａと裏枠体11Ｂとが商品40を挟んだ状態で重ね合わされかつ保持され，さらに折り片12Ａ，13Ａ，12Ｂ，13Ｂの折返された状態が維持される。商品40は，表がわ（正面がわ）ではフィルム31Ａによって覆われた状態で表枠体11Ａを越えて商品窓21Ａから外方（表がわ）に突出し，裏がわ（背面がわ）ではフィルム31Ｂによって覆われた状態で裏枠体11Ｂを越えて商品窓21Ｂから外方（裏がわ）に突出する。フィルム31Ａ，31Ｂは，商品40によって商品窓21Ａ，21Ｂのそれぞれから外方に突出する向きに押されて商品40に密着する。フィルム31Ａ，31Ｂが伸びを生じるものであれば商品40によって押されることでフィルム31Ａ，31Ｂに伸びが生じる。フィルム31Ａ，31Ｂは透明ないし半透明であるから，フィルム31Ａ，31Ｂを通して商品40に印字された文字および図形，商品40の色などが表裏の両面から確認される。またフィルム31Ａ，31Ｂに覆われた商品40が商品窓21Ａ，21Ｂから表裏の両がわに突出するので，商品40の外形も表裏の両がわから確認される。また，表枠体11Ａにあけられたフック孔22Ａと裏枠体11Ｂにあけられたフック孔22Ｂは重なり合う（図２，図４参照）。包装体１によって包装された商品40はこれらのフック孔22Ａ，22Ｂを用いてフックに掛けられて，店舗等において陳列される。
【００２８】
図５は表枠体11Ａの内がわに貼られたフィルム31Ａの接着位置を示すもので，表枠体11Ａおよび折り片12Ａ，13Ａの内がわとなる面を見たものである。図６は図５のVI−VI線に沿う拡大断面図である。図７は表枠体11Ａの両側の折り片12Ａ，13Ａをそれぞれ内がわに折返した状態の断面図である。
【００２９】
上述したように，表枠体11Ａおよびその両側の折り片12Ａ，13Ａには糊部Ｎが設けられている。図５を参照して，この実施例では，糊部Ｎは，折り片12Ａ，13Ａのそれぞれと，表枠体11Ａの商品窓21Ａの上方および下方の枠部のそれぞれとに線状に設けられている。
【００３０】
フィルム31Ａは表枠体11Ａの内がわにおいて商品窓21Ａを覆うのみならず，折り線Ｌ１Ａ，Ｌ２Ａを越えて折り片12Ａ，13Ａ上にも延在する広がりを持つ。フィルム31Ａの貼付け（糊付け）は自動窓貼り機を用いることで行われる。表枠体11Ａと折り片12Ａ，13Ａとが面一状態（展開状態）で自動窓貼り機に与えられ，内がわとなる面に上述の糊部Ｎが線状に塗布される。表枠体11Ａの内がわ面と平行にされたフィルム31Ａが，商品窓21Ａを覆うようにして表枠体11Ａの内がわとなる面に被せられ，糊部Ｎの位置が押されることでフィルム31Ａが密着する。フィルム31Ａの上下左右の余剰部分が切断されることでフィルム31Ａの貼付けが完了する。
【００３１】
図５，図６を参照して，折り片12Ａ上の糊部Ｎは，表枠体11Ａと折り片12Ａとの間の折り線Ｌ１Ａからａだけ間隔をあけて設けられている。折り片13Ａ上に設けられる糊部Ｎも同様であり，表枠体11Ａと折り片13Ａとの間の折り線Ｌ２Ａと糊部Ｎの端との間には間隔ａがあいている。図６，図７を参照して，折り片12Ａ，13Ａが折り線Ｌ１Ａ，Ｌ２Ａの位置でそれぞれ内がわに折返されると，この間隔ａの存在によってフィルム31の両がわの糊部Ｎ（接着位置）がいずれも商品窓21Ａに近づき，これにより商品窓21Ａから表がわに突出する商品40を覆う余裕がフィルム31Ａにつくられる。包装される商品40の厚みが比較的厚いものであったとしても，余裕がつくられたフィルム31Ａによって商品窓21Ａから表がわに突出する商品部分を充分に覆うことができる。
【００３２】
裏枠体11Ｂについても，上述と同様である。すなわち，裏枠体11Ｂの両がわにつながる折り片12Ｂ，13Ｂにそれぞれ設けられる糊部Ｎと折り線Ｌ１Ｂ，Ｌ２Ｂとの間には，それぞれ間隔ａがあいている。折り片12Ｂ，13Ｂを折り線Ｌ１Ｂ，Ｌ２Ｂの位置でそれぞれ内がわに折返すと，裏枠体11Ｂの内がわに平行に貼られたフィルム31Ｂに，商品窓21Ｂから裏がわに突出する商品40を覆う余裕がつくられる。
【００３３】
表枠体11Ａの両がわの折り片12Ａ，13Ａに設けられる糊部Ｎと折り線Ｌ１Ａ，Ｌ２Ａとの間の間隔ａが広いほど，折り片12Ａ，13Ａが折返されたときにフィルム31Ａに生じる余裕は大きくなる。裏枠体11Ｂについても同様である。上記間隔ａは包装される商品40の厚みに応じて適宜調整すればよい。
【００３４】
表枠体11Ａの内がわ面に貼られる上記フィルム31Ａに上記余裕をつくる間隔と，裏枠体11Ｂの内がわ面に貼られる上記フィルム31Ｂに上記余裕をつくる間隔とは異なる間隔であってもよい。より間隔の大きいがわに商品40はより大きく突出することになる。また，表枠体11Ａおよび裏枠体11Ｂのいずれか一方のみに上記折り片および上記間隔ａを設けてもよい。さらに，表枠体11Ａまたは裏枠体11Ｂのいずれか一方の一側のみに上記折り片および間隔ａを設けるようにしてもよい。
【００３５】
図８から図１５は，上述した表枠体11Ａ，折り片12Ａ，13Ａ，裏枠体11Ｂ，折り片12Ｂ，13Ｂが一枚の厚紙によりつくられている包装体を示している。
【００３６】
図８および図９は第２実施例の包装体２を示すもので，図８は包装体２の展開図であり，内側となる面を見たものである。図９は組立て途中の包装体２の斜視図である。図８および図９においても商品の図示は省略されている。このことは後述する他の実施例も同様である。
【００３７】
第１実施例の包装体１と同様に，矩形の表枠体11Ａの両側に折り片12Ａ，13Ａが互いに反対方向に折り線Ｌ１Ａ，Ｌ２Ａを介してそれぞれつながっている。折り片12Ａ，13Ａ上に折り線Ｌ１Ａ，Ｌ２Ａから間隔ａをあけて糊部Ｎがそれぞれ設けられている。表枠体11Ａの商品窓21Ａの上方および下方のそれぞれの枠部にも糊部Ｎが設けられている。これらの糊部Ｎによって平面状のフィルム31Ａが，表枠体11Ａのほぼ中央に形成された商品窓21Ａを覆うようにして表枠体11Ａの内がわに貼り付けられる。
【００３８】
裏枠体11Ｂについても，第１実施例の包装体１と同様に，裏枠体11Ｂの両側に折り線Ｌ１Ｂ，Ｌ２Ｂを介して折り片12Ｂ，13Ｂが互いに反対方向にそれぞれつながっている。折り片12Ｂ，13Ｂ上に折り線Ｌ１Ｂ，Ｌ２Ｂから間隔ａをあけて糊部Ｎがそれぞれ設けられている。表枠体11Ｂの商品窓21Ｂの上方および下方のそれぞれの枠部にも糊部Ｎが設けられている。これらの糊部Ｎによって平面状のフィルム31Ｂが，裏枠体11Ｂのほぼ中央に形成された商品窓21Ｂを覆うようにして裏枠体11Ｂの内がわに貼り付けられる。
【００３９】
表枠体11Ａの上端には折り線Ｌ３を介して上部折り片51がつながっている。表枠体11Ａの下端には折り線Ｌ４を介して上述の裏枠体11Ｂがつながっている。
【００４０】
折り片12Ａ，13Ａ上の糊部Ｎの端と折り線Ｌ１Ａ，Ｌ２Ａとの間にはそれぞれ間隔ａがあいているので，折り片12Ａ，13Ａを折り線Ｌ１Ａ，Ｌ２Ａに沿って内がわに折返すと，上述したようにフィルム31Ａには商品窓21Ａから表がわに突出する商品を覆う余裕がつくられる。裏枠体11Ｂについても，その両がわにつながる折り片12Ｂ，13Ｂを折り線Ｌ１Ｂ，Ｌ２Ｂに沿って内がわに折り返すと，フィルム31Ｂには商品窓21Ｂから裏がわに突出する商品を覆う余裕がつくられる。
【００４１】
図９を参照して，表枠体11Ａと裏枠体11Ｂの間の折り線Ｌ４に沿って裏枠体11Ｂを内がわに折返すことで，表枠体11Ａと裏枠体11Ｂとが商品（図示略）を挟んだ状態で重ね合わされる。裏枠体11Ｂの両がわにつながる折り片12Ｂ，13Ｂが表枠体11Ａの外がわの面に糊等の接着剤によって接着され，これにより表枠体11Ａと裏枠体11Ｂが重ね合わされた状態に保持され，かつ折り片12Ｂ，13Ｂの折り返しの状態も維持される。また，表枠体11Ａの両がわの折り片12Ａ，13Ａも裏枠体11Ｂの内がわ面によって折られた状態に維持される。最後に上部折り片51を折返して裏枠体11Ｂの外がわの面に接着する（テープでとめてもよい）ことで，包装体２による商品の包装が完成する。
【００４２】
上部折り片51を折返す前の封筒状の包装体２の上部開口から商品を充填し，その後に上部折り片51を折り返してもよい。封筒状とした（上部開口があいている）包装体を作り貯めしておくと，商品の充填作業を分業することができる。もちろん，商品窓21Ａ，21Ｂの間に商品を配置しておき，その後に包装体２の組み立て（折り片12Ａ，13Ａ，12Ｂ，13Ｂの折返し，上部折り片51の接着など）を行ってもよい。
【００４３】
図１０および図１１は第３実施例の包装体３を示すもので，図１０は包装体３の展開図であり，内がわとなる面を見たものである。図１１は組立て途中の包装体３の斜視図である。
【００４４】
第３実施例の包装体３は，糊またはテープを用いることなく表枠体11Ａと裏枠体11Ｂとが互いに重ね合わされた状態に保持される点が，上述した第２実施例の包装体２と異なる。また，第３実施例の包装体３では１枚のフィルム31が表枠体11Ａおよび裏枠体11Ｂの内がわ面に貼られる点も第２実施例の包装体２と異なっている。
【００４５】
糊部Ｎは，表枠体11Ａの両がわにつながる折り片12Ａ，13Ａと，表枠体11Ａに形成された商品窓21Ａの上方の枠部と，裏枠体11Ｂの両側につながる折り片12Ｂ，13Ｂと，裏枠体11Ｂに形成された商品窓21Ｂの下方の枠部とに線状に設けられている。これらの６箇所の糊部Ｎが用いられて，１枚のフィルム31が商品窓21Ａ，21Ｂの両方を覆うようにして，表枠体11Ａおよび裏枠体11Ｂの内がわ面と平行に貼られる。
【００４６】
第１実施例および第２実施例と同様に，表枠体11Ａの両がわにつながる折り片12Ａ，13Ａ上に設けられた糊部Ｎの端と折り線Ｌ１Ａ，Ｌ２Ａとの間にそれぞれ間隔ａがあいているので，折り片12Ａ，13Ａを折り線Ｌ１Ａ，Ｌ２Ａに沿って内がわに折り返すと，フィルム31には商品窓21Ａから表がわに突出する商品を覆う余裕がつくられる。裏枠体11Ｂについても同様に，裏枠体11Ｂの両がわにつながる折り片12Ｂ，13Ｂ上に設けられた糊部Ｎの端と折り線Ｌ１Ｂ，Ｌ２Ｂとの間にそれぞれ間隔ａがあいているので，折り片12Ｂ，13Ｂを折り線Ｌ１Ｂ，Ｌ２Ｂに沿って内がわに折返すと，フィルム31には商品窓21Ｂから裏がわに突出する商品を覆う余裕がつくられる。
【００４７】
さらに，表枠体11Ａの両がわの折り片12Ａ，13Ａ上に設けられた２箇所の糊部Ｎのそれぞれの下端と，表枠体11Ａと裏枠体11Ｂの間の折り線Ｌ４との間にも間隔ａがあいている。同様に，裏枠体11Ｂの両がわの折り片12Ｂ，13Ｂ上に設けられた２箇所の糊部Ｎのそれぞれの上端と，表枠体11Ａと裏枠体11Ｂの間の折り線Ｌ４との間にも間隔ａがあいている。表枠体11Ａと裏枠体11Ｂの間の折り線Ｌ４に沿って裏枠体11Ｂを折返すと，表枠体11Ａおよび裏枠体11Ｂの上下を結ぶ方向にも，商品窓21Ａ，21Ｂから表がわおよび裏がわにそれぞれ突出する商品を覆う余裕がフィルム31につくられる。
【００４８】
図１１を参照して，表枠体11Ａと裏枠体11Ｂの間の折り線Ｌ４に沿って裏枠体11Ｂを折返すことで，表枠体11Ａと裏枠体11Ｂとが商品を挟んだ状態で重ね合わされる。表枠体11Ａの上端につながる上部折り片（差し込み片）51を内がわに折返しつつ，裏枠体11Ｂの両がわにつながる折り片12Ｂ，13Ｂと裏枠体11Ｂとの間の隙間に差し込んで係合する。表枠体11Ａと裏枠体11Ｂの重ね合わされた状態が簡易に保持され，表枠体11Ａの両がわの折り片12Ａ，13Ａの折り返された状態と，裏枠体11Ｂの両がわの折り片12Ｂ，13Ｂの折り返された状態も維持される。
【００４９】
表枠体11Ａと裏枠体11Ｂとの間の切込み（折り片12Ａと12Ｂの間のＶカット部分，折り片13Ａと13Ｂの間のＶカット部分）は，第２実施例（図８）よりも大きく形成してもよい。商品窓21Ａ，21Ｂから突出する商品を覆うようにフィルム31が移動するときにフィルム31が動きづらくなるのが防止される。
【００５０】
図１２および図１３は第４実施例の包装体４を示すもので，図１２は包装体４の展開図であり，内がわとなる面を見たものである。図１３は組立て途中の包装体４の斜視図である。
【００５１】
第４実施例の包装体４は，表枠体11Ａの一側（左がわ）に折り線Ｌ１Ａを介して折り片12Ａがつながっており，表枠体11Ａの他側（右がわ）には折り線Ｌ２Ａを介して裏枠体11Ｂがつながっている。表枠体11Ａの上端および下端のそれぞれに折り線Ｌ３，Ｌ４を介して上部折り片51，下部折り片52がそれぞれつながっている。
【００５２】
第４実施例の包装体４も，表枠体11Ａと裏枠体11Ｂの内がわ面に商品窓21Ａ，21Ｂを覆うようにして１枚のフィルム31が貼られている。糊部Ｎは，表枠体11Ａの一側につながる折り片12Ａと，表枠体11Ａの他側がわの枠部と，裏枠体11Ｂの他側がわの枠部と，表枠体11Ａの商品窓21Ａの上方および下方の枠部と，裏枠体11Ｂの商品窓21Ｂの上方および下方の枠部とに設けられ，これらの糊部Ｎによってフィルム31は表枠体11Ａおよび裏枠体11Ｂの内がわ面に平行に接着される。
【００５３】
表枠体11Ａの一側につながる折り片12Ａ上に設けられている糊部Ｎの端と，表枠体11Ａと折り片12Ａの間の折り線Ｌ１Ａとの間に間隔ａがあいているので，折り片12Ａが内がわに折り返されると，商品窓21Ａを覆うフィルム31には商品窓21Ａから表がわに突出する商品を覆う余裕がつくられる。また，表枠体11Ａの他側がわの枠部に設けられている糊部Ｎと，表枠体11Ａと裏枠体11Ｂの間の折り線Ｌ２Ａとの間にも間隔ａがあいているので，裏枠体11Ｂが折り返されると，商品窓21Ｂを覆うフィルム31にも商品窓21Ｂから裏がわに突出する商品を覆う余裕がつくられる。
【００５４】
図１３を参照して，折り片12Ａと裏枠体11Ｂとを折り線Ｌ１Ａ，Ｌ２Ａに沿ってそれぞれ内がわに折り返す。裏枠体11Ｂの右側端部に項けられた糊部ｎによって裏枠体11Ｂを折り片12Ａの外がわ面に接着する。最後に上部折り片51および下部折り片52を折り返して裏枠体11Ｂの外がわの面に接着する（テープでとめてもよい）ことで，包装体４による商品の包装が完成する。包装体４は自動包装機による高速生産に適している。
【００５５】
図１４および図１５は第５実施例の包装体５を示すもので，図１４は包装体５の展開図であり，内がわとなる面を見たものである。図１５は組立て途中の包装体５の斜視図である。
【００５６】
包装体５は，表枠体11Ａの右がわに裏枠体11Ｂが折り線Ｌを介してつながっている。第５実施例の包装体５も，表枠体11Ａと裏枠体11Ｂの内がわ面に商品窓21Ａ，21Ｂを覆うようにして１枚のフィルム31が貼られている。フィルム31を貼るための糊部Ｎは，表枠体11Ａの一側がわ（自由端がわ）の枠部と，裏枠体11Ｂの他側がわ（自由端がわ）の枠部と，表枠体11Ａに形成された商品窓21Ａの上方および下方の枠部と，裏枠体11Ｂに形成された商品窓21Ｂの上方および下方の枠部に設けられている。
【００５７】
表枠体11Ａの商品窓21Ａの上方および下方の枠部に設けられた糊部Ｎのそれぞれの右端と折り線Ｌとの間に間隔ａがあいている。同様に，裏枠体11Ｂの商品窓21Ｂの上方および下方の枠部に設けられた糊部Ｎのそれぞれの左端と折り線Ｌとの間にも間隔ａがあいている。折り線Ｌに沿って裏枠体11Ｂを内がわに折り返して表枠体11Ａに重ねると，上記間隔ａによって商品窓21Ａ，21Ｂを覆うフィルム31には，商品窓21Ａ，21Ｂから表がわおよび裏がわにそれぞれ突出する商品を覆う余裕がつくられる。表枠体11Ａの上端部，左端部および下端部に設けられた糊部ｎによって，折返された裏枠体11Ｂは表枠体11Ａに接着される。包装体５は折り箇所が一箇所であり，自動包装機による高速生産に適している。
【符号の説明】
【００５８】
１，２，３，４，５  包装体
11Ａ  表枠体
11Ｂ  裏枠体
21Ａ，21Ｂ  商品窓
Ｌ，Ｌ１Ａ，Ｌ２Ａ，Ｌ１Ｂ，Ｌ２Ｂ  折り線
12Ａ，13Ａ，12Ｂ，13Ｂ  折り片
31，31Ａ，31Ｂ  フィルム
Ｎ  糊部
【図１】
0005927898.tif 000002
【図２】
0005927898.tif 000003
【図３】
0005927898.tif 000004
【図４】
0005927898.tif 000005
【図５】
0005927898.tif 000006
【図６】
0005927898.tif 000007
【図７】
0005927898.tif 000008
【図８】
0005927898.tif 000009
【図９】
0005927898.tif 000010
【図１０】
0005927898.tif 000011
【図１１】
0005927898.tif 000012
【図１２】
0005927898.tif 000013
【図１３】
0005927898.tif 000014
【図１４】
0005927898.tif 000015
【図１５】
0005927898.tif 000016